(57)【特許請求の範囲】
【請求項１】
便座に着座した人体の局部を洗浄する衛生洗浄装置であって、
前記局部に洗浄水を噴出する第１、第２ノズルを有し、
前記第１ノズルは、洗浄水の噴出口と該噴出口に到るノズル内流路とを備え、該ノズル内流路を通して前記噴出口から洗浄水を噴出し、
前記第２ノズルは、洗浄水の噴出口と該噴出口に到るノズル内流路とを備え、該ノズル内流路を通して前記噴出口から洗浄水を噴出すると共に、前記第１ノズルを収納するよう前記第１ノズルの外周形状に倣った形状とされた収納部を有する
ことを特徴とする衛生洗浄装置。
【請求項２】
請求項１記載の衛生洗浄装置であって、
前記第２ノズルは、ノズル先端側に、下方が開口されて前記第１ノズルの先端を取り囲む開口凹所を有する、衛生洗浄装置。
【請求項３】
請求項１または請求項２記載の衛生洗浄装置であって、
前記第１、第２ノズルを、洗浄待機時の待機位置と局部洗浄時の洗浄位置との間に亘って個別に進退できるように備え、
前記収納部は、前記第１ノズルが進退する際の案内部とされている、衛生洗浄装置。
【請求項４】
請求項１ないし請求項３いずれか記載の衛生洗浄装置であって、
前記第１、第２ノズルは、軸心が同心となるように配設されている、衛生洗浄装置。
【請求項５】
請求項１ないし請求項３いずれか記載の衛生洗浄装置であって、
前記第１、第２ノズルは、軸心が上下に偏心するように配設されている、衛生洗浄装置。
【請求項６】
請求項３ないし請求項５いずれか記載の衛生洗浄装置であって、
前記第１、第２ノズルの一方のノズルは、肛門洗浄のための第１洗浄位置と前記待機位置との間に亘って進退し、
前記第１、第２ノズルの他方のノズルは、前記第１洗浄位置より前方の位置である女性局部洗浄のための第２洗浄位置と前記待機位置との間に亘って進退する、衛生洗浄装置。
【請求項７】
請求項６記載の衛生洗浄装置であって、
前記一方のノズルは前記第２ノズルとされ、前記他方のノズルは前記第１ノズルとされている、衛生洗浄装置。
【発明の詳細な説明】
【０００１】
【発明の属する技術分野】
本発明は、便座に着座した人体の局部に洗浄水を噴出して局部を洗浄する衛生洗浄装置に関する。
【０００２】
【従来の技術】
この種の衛生洗浄装置では、一般に、肛門洗浄用の洗浄水噴出と女性局部洗浄用の洗浄水噴出ができるようにされている。そして、単一のノズルに肛門洗浄用と女性局部洗浄用の複数流路を形成した形態（単一ノズル形態）のものや、肛門洗浄用のノズルと女性局部洗浄用のノズルの複数ノズルを並列設置した形態（複数ノズル形態）のものが提案されている。
【０００３】
【発明が解決しようとする課題】
単一ノズル形態では、ノズルが単一であるため、ノズルを含むノズル装置、延いては衛生洗浄装置全体としての小型化ができるという利点がある。ところで、近年では、ハード・ソフトといった異なる洗浄感での局部洗浄が実行できるよう多機能化を図ることが要望されつつある。これには、ハード感用・ソフト感用の流路を肛門洗浄と女性局部洗浄で別々に用意する必要がある。しかし、単一のノズルでは、単一ノズル内に形成できる流路の数が制約を受けるので、肛門洗浄・女性局部洗浄についての洗浄機能の多機能化に欠けていた。
【０００４】
また、単一ノズル形態では、肛門洗浄時に噴出した洗浄水がノズルに跳ね返り、この跳ね返り洗浄水が女性局部洗浄用の噴出口周辺に付着する。この付着跳ね返り洗浄水による汚れは、局部洗浄に先だって噴出口周辺に洗浄水をかけるいわゆるセルフクリーニングにて除去されるようにされている。しかし、このセルフクリーニングが念入りに実施されていても、肛門洗浄時の跳ね返り洗浄水が付着した噴出口から女性局部に洗浄水の噴出を受けることに変わりはない。よって、女性局部というきわめてデリケートな場所に洗浄水の噴出を受ける都合上、この女性に衛生性に欠けるという不安感を抱かせるおそれがあった。
【０００５】
一方、複数ノズル形態では、肛門洗浄用ノズルと女性局部洗浄用ノズルの各ノズルでの流路形成で肛門洗浄・女性局部洗浄についての洗浄機能の多機能化を図ることができる。また、肛門洗浄時には、女性局部洗浄用ノズルを衛生洗浄装置本体に位置させれば、肛門洗浄時の跳ね返り洗浄水を当該ノズルの噴出口に比較的付着させることがない。つまり、複数ノズル形態を採ることで、単一ノズル形態での上記した問題はある程度解決できる。しかし、複数ノズルが単に並列設置してあるに過ぎないために、小型化が阻害されていた。また、複数ノズル形態では、洗浄時にノズルを洗浄位置に移動させるための駆動系をノズルごとに要するので、駆動源を含めたノズル装置としての小型化も十分ではなかった。なお、肛門洗浄のみを目的として例えばハード感用肛門洗浄ノズルとソフト感用肛門洗浄ノズルを並列設置したものであっても、小型化の問題があることに変わりはない。
【０００６】
女性局部の洗浄は、生理時の出血や組織老廃物を噴出洗浄水で洗い流し、女性局部を清潔に維持するものであるが、以下のような理由からこの清潔性に対する不安感を抱かせるおそれがあった。生理時が出血量や組織老廃物量は、一律ではなくその都度変化したり個人ごとに異なり、この出血や組織老廃物が女性局部周辺を越える範囲の表皮にまで付着することがある。このような事態に至ると、女性局部に洗浄水を噴出するだけでは洗浄が不十分となって清潔性に欠けるという不安感を抱かせるおそれがあった。なお、女性局部洗浄時に噴出洗浄水の当たる範囲を変えることができるものも提案されているが、このものは、女性局部の個人差に対応できるに過ぎず、女性局部周辺を越える表皮範囲までの洗浄を意図するものではなかった。
【０００７】
本発明は、上記課題を解決するためになされ、複数のノズルを備えながら、装置の小型化や女性局部の洗浄についての不安感の解消を図ることをその目的とする。
【０００８】
【課題を解決するための手段およびその作用・効果】
かかる課題の少なくとも一部を解決するため、本発明の衛生洗浄装置は、以下の構成を有する。即ち、
便座に着座した人体の局部を洗浄する衛生洗浄装置であって、
前記局部に洗浄水を噴出する第１、第２ノズルを有し、
前記第１ノズルは、洗浄水の噴出口と該噴出口に到るノズル内流路とを備え、該ノズル内流路を通して前記噴出口から洗浄水を噴出し、
前記第２ノズルは、洗浄水の噴出口と該噴出口に到るノズル内流路とを備え、該ノズル内流路を通して前記噴出口から洗浄水を噴出すると共に、前記第１ノズルを収納するよう前記第１ノズルの外周形状に倣った形状とされた収納部を有する
ことを特徴とする。
【０００９】
上記構成を有する本発明の第１の衛生洗浄装置では、第１ノズルを第２ノズルの収納部に収納して第１、第２ノズルを一体化する。しかも、この収納部を第１ノズルの外周形状に倣った形状とし、ノズル収納に際してのスペース的な無駄を省くことができる。よって、このように一体化した分だけ、複数ノズルを単に並列設置した従来のものより小型化を図ることができる。また、第１ノズルが第２ノズルに収納された状態では、複数ノズルとしてよりも単一ノズルとしての外観を呈し単一ノズルのように取り扱えることから、見栄えが向上し取り扱いも容易となる。
【００１０】
この本発明の衛生洗浄装置は、以下の態様を採ることもできる。第１の態様は、
前記第１、第２ノズルを、洗浄待機時の待機位置と局部洗浄時の洗浄位置との間に亘って個別に進退できるように備え、
前記収納部は、前記第１ノズルが進退する際の案内部とされている、ものとすることができる。
こうすれば、第１ノズルを第２ノズルの収納部で案内して容易に進退させることができる。
【００１１】
これらの場合、前記第１、第２ノズルを軸心が同心となるように配設されているものとしたり、軸心が上下に偏心するように配設されているものとすることができる。こうすれば、ノズル収納に際してのスペース的な無駄をより省いて見栄えをより向上することができる。
【００１２】
また、前記第１、第２ノズルの一方のノズルは、肛門洗浄のための第１洗浄位置と前記待機位置との間に亘って進退し、
前記第１、第２ノズルの他方のノズルは、前記第１洗浄位置より前方の位置である女性局部洗浄のための第２洗浄位置と前記待機位置との間に亘って進退する、ものとすることができる。
こうすれば、肛門洗浄時に他方のノズルを待機位置に位置させて、肛門洗浄時の跳ね返り洗浄水がこの他方のノズルにかかることを有効に回避することができる。よって、小型化に加え、女性局部洗浄時の不安感を複数ノズルを並列設置した従来のものと同程度にまでなくすことができる。
【００１３】
この場合、前記一方のノズルを前記第２ノズルとし、前記他方のノズルを前記第１ノズルとする、ものとすることができる。こうすれば、女性局部洗浄用の第１ノズルを肛門洗浄時に第２ノズルに収納した状態で待機位置に位置させて置くことができる。よって、肛門洗浄時の跳ね返り洗浄水を第２ノズル自体で遮ることができ、この跳ね返り洗浄水が女性局部洗浄用の第１ノズルにかかることをより確実に回避することができる。このため、女性局部洗浄時の不安感をより確実に解消することができる。
【００１４】
【発明の実施の形態】
次に、本発明に係る衛生洗浄装置の実施の形態を実施例に基づき説明する。まず、この衛生洗浄装置が有するノズル構成について説明する。図１は、２本の局部洗浄用ノズルを有するサブアッシーノズル体３０の概略斜視図、図２は、ノズル軸方向に沿って要部を断面視した要部断面図、図３は、図２の３−３線拡大断面図、図４は、図２の４−４線拡大断面図である。
【００１５】
図示するように、サブアッシーノズル体３０は、供給された洗浄水を人体局部に向けて噴出する第１ノズル３１と、第２ノズル３２とを有する。第１ノズル３１と第２ノズル３２は、共に円柱状に型成形された樹脂成型品である。そして、第１ノズル３１は、その軸心を第２ノズル３２と一致させて、第２ノズル３２に収納されている。即ち、第２ノズル３２は、第１ノズル３１の外形形状（筒状）に倣って形成されたノズル挿入孔３２ａをセンターに有し、このノズル挿入孔３２ａに第１ノズル３１が挿入されている。これにより、第１ノズル３１と第２ノズル３２は、別々のノズルでありながら一体化する。
【００１６】
ノズル挿入孔３２ａの内径は、第１ノズル３１の外径より僅かに大きくされている。このため、第１ノズル３１は、このノズル挿入孔３２ａに案内されて、単独で軸心に沿って前後動でき、第２ノズル３２にあっても、単独で軸心に沿って前後動できる。なお、第１ノズル３１が軸心回りに回転しないよう、例えばキー溝とキーにより回り止めが設けられている。
【００１７】
この第１、第２ノズルは、図示しない洗浄水給水ホースに接続される接続金具３３，３４を有し、各金具を経て洗浄水の給水を受ける。第１ノズル３１は、図２に示すように、ノズル先端部に噴出口３５を備え、接続金具３３を経てノズル内流路３６に流れ込んだ洗浄水を、この噴出口３５から噴出する。第２ノズル３２も、ノズル先端部に噴出口３７を備え、接続金具３４を経てノズル内流路３８に流れ込んだ洗浄水を、噴出口３７から噴出する。この場合、図３，図４に示すように、第２ノズル３２のノズル内流路３８は、ノズル挿入孔３２ａを取り囲むように形成されているので、有効流路面積が広くされている。よって、ノズル内流路３８を洗浄水が通過する際の圧力損失は小さくなるので、第２ノズル３２は、多流量の洗浄水噴出に適したものとなる。
【００１８】
第２ノズル３２の端部は、下方が開口されて第１ノズル３１の先端を取り囲む開口凹所３９とされている。よって、図１，図２に示した状態で第１ノズル３１が噴出口３５から洗浄水を噴出すると、その噴出洗浄水は開口凹所３９の内壁面で跳ね返って噴出口３５周辺のノズル表面にかかる。このため、噴出洗浄水により第１ノズル３１の噴出口３５周辺を洗浄するいわゆるセルフクリーニングが可能となる。なお、サブアッシーノズル体３０は、第２ノズル３２の先端上方に図示しないクリーニングチャンバを有するので、第２ノズル３２についてもセルフクリーニングが可能である。
【００１９】
次に、このサブアッシーノズル体３０を有する実施例の衛生洗浄装置４０について説明する。図５は、この衛生洗浄装置４０を便器と共に示す分解斜視図、図６は、衛生洗浄装置４０の構成を表すブロック図である。衛生洗浄装置４０は、便器４１の上面に固定される本体ベース４２と、当該ベース上のユニット群４３と、便座４４並びに便蓋４５が開閉自在に装着された本体カバー４６とを有し、便器洗浄水タンク４７の前方に設置される。ユニット群４３は、サブアッシーノズル体３０を有しほぼ中央に位置するノズルユニット５０と、サブアッシーノズル体３０の第１、第２ノズルに適温の洗浄水を給水するための給水ユニット５２と、両ノズルを装置本体内の図示する待機位置と目的とする洗浄位置との間に亘って進退させるノズル駆動ユニット５４と、温風を吹き出して人体局部を乾燥させる乾燥ユニット５６と、各ユニットの構成部材を駆動制御して局部洗浄や乾燥を実行させる制御ユニット５８等を、本体ベース４２の上面に組み付け配置して構成されている。なお、制御ユニット５８には、局部洗浄の開始・停止等を指示する種々のボタンが配設されており、同様のボタンはリモートコントローラ５９にも設けられている。
【００２０】
この衛生洗浄装置４０は、肛門洗浄と女性局部洗浄を行えるよう、ノズルユニット５０におけるサブアッシーノズル体３０の第１ノズル３１を肛門洗浄用のノズル（肛門ノズル）とし、第２ノズル３２を女性局部洗浄用のノズル（ビデノズル）とする。ノズル駆動ユニット５４は、第１ノズル３１を本体内の待機位置と肛門洗浄のための洗浄位置（肛門洗浄位置）とに亘って進退させるノズル駆動系と、第２ノズル３２を待機位置と女性局部洗浄のための洗浄位置（ビデ洗浄位置）とに亘って進退させるノズル駆動系とを有する。そして、制御ユニット５８は、ＣＰＵ、ＲＯＭ、ＲＡＭ等の論理演算回路デバイスを有する電子制御装置５８Ａを備える。そして、この制御ユニット５８は、使用者のボタン操作に応じて上記の両駆動系を選択的に用い、第１ノズル３１または第２ノズル３２をその洗浄位置に進出させる。また、制御ユニット５８は、使用者のボタン操作に応じて給水ユニット５２を制御して該当するノズルに洗浄水を供給し、洗浄位置にある第１ノズル３１または第２ノズル３２から目的の洗浄箇所（肛門または女性局部）に向けて洗浄水を噴出させる。更に、制御ユニット５８は、給水ユニット５２の有する後述の温水タンク５３内の洗浄水温度を、設定された温度に維持制御する。この際、制御ユニット５８は、温水タンク５３の温度監視用サーミスタの検出水温を入力し、その結果に応じてタンク内のシーズヒータを通電制御する。
【００２１】
ここで、局部洗浄ボタンが操作されてからのノズル駆動の様子や洗浄水噴出の様子の説明に先立ち、給水ユニット５２への給水の様子と当該ユニットの構成について説明する。
【００２２】
衛生洗浄装置４０は、既設便器に追加設置できるようにされている。つまり、本体ベース４２は、既設の便器上面の固定穴、通常は既設の便座や便蓋の支持部の固定穴を利用して便器上面に固定できるようにされている。このようにして本体ベース４２が固定され、衛生洗浄装置４０が既設便器に追加設置されると、次のようにして洗浄水給水のための現場作業が行われる。
【００２３】
追加設置された衛生洗浄装置４０は、既設便器周辺の給水系、具体的には便器洗浄水タンク４７への給水配管から独立している。よって、衛生洗浄装置４０に局部洗浄用に洗浄水を給水するためには、この給水配管と衛生洗浄装置４０とを接続する。その手法は、種々のものがある。例えば、図７に示すように、止水栓ＳＳから便器洗浄水タンク４７に至る給水配管ＨＫの管路途中を所定長さＡに亘って切断し、この切断箇所に分岐金具ＢＫを組み込む。そして、この分岐金具ＢＫから衛生洗浄装置４０にフレキシブルホース等で分岐配管ＢＨを接続し、この分岐金具ＢＫにより衛生洗浄装置４０の給水ユニット５２に洗浄水を給水する。
【００２４】
あるいは、既存の止水栓ＳＳを分解して取り外し、分岐構造を有する新たな止水栓を管路に取り付ける。そして、この新たな止水栓の分岐部から衛生洗浄装置４０に分岐配管を接続し、給水ユニット５２に洗浄水を給水する。
【００２５】
また、次のような手法を採ることもできる。図８は、衛生洗浄装置４０への給水を行う給水金具６０の構成と給水配管への固定の様子を説明する説明図、図９は、給水金具６０Ａの構成と給水配管への固定の様子を説明する説明図である。図示するように、給水金具６０は、給水配管ＨＫに外接するＵ字状のフレーム６１と、その開口部に螺子固定され給水配管ＨＫをフレーム６１と共に挟持固定するプレート６２と、フレーム６１に螺合される分岐金具６３とを有する。
【００２６】
分岐金具６３は、図中右側から、タップ部６３ａと、雄ネジ部６３ｂと、分岐部６３ｃと、トルク発生部６３ｄとを一体に有する。タップ部６３ａは、先端がテーパ形状のネジ切りタップとされている。そして、このタップ部６３ａのネジ切りタップ部表面には、エポキシ系接着剤がマイクロビーズ化して塗布されている。雄ネジ部６３ｂは、フレーム６１の雌ネジと螺合し、この分岐金具６３を図中の右方に押し進める。分岐部６２ｃは、衛生洗浄装置４０に至る分岐配管ＢＨの接続ポートを備え、この分岐配管ＢＨに、タップ部６３ａと雄ネジ部６３ｂを貫通した給水流路６３ｅを接続する。トルク発生部６３ｄは、手のひらで容易に把持できる星形握りの形状とされており、外周側面には、ドライバといった棒材が挿入可能な有底孔６３ｆを有する。
【００２７】
この分岐金具６３によって、次のようにして衛生洗浄装置４０への洗浄水給水が可能となる。まず、フレーム６１を給水配管ＨＫに係合させ、プレート６２を介してフレーム６１をこの給水配管ＨＫに固定する。次いで、トルク発生部６３ｄを把持して、分岐金具６３をネジ切りのために回転させる。この際、有底孔６３ｆに挿入したドライバ等でネジ切り回転させると、大きな回転トルクで分岐金具６３をネジ切り回転させることができる。こうして、ネジ切り回転させると、タップ部６３ａは、先端に当接した給水配管ＨＫに雌ねじを螺刻しながら管路壁を貫通して給水配管ＨＫと螺合し、内部の給水流路６３ｅを給水配管ＨＫの管路と接続する。この螺刻の際に、ネジ切りタップ部表面に塗布済みのマイクロビーズ化状のエポキシ系接着剤は、タップ部６３ａ表面と給水配管ＨＫの螺刻部表面に膜状に行き渡り、その後に硬化する。この硬化したエポキシ系接着剤は、タップ部６３ａと給水配管ＨＫの螺合箇所のシールとして機能する。このため、洗浄水は、漏水を起こすことなく給水配管ＨＫから分岐金具６３の給水流路６３ｅに流れ込み、分岐配管ＢＨを経て衛生洗浄装置４０の給水ユニット５２に給水される。なお、上記のようにタップ部６３ａが給水配管ＨＫに螺合した後は、フレーム６１の側面から雄ネジ部６３ｂに向けて止めネジ（図示省略）が締め付けられ、給水金具６０は抜止される。
【００２８】
このように、分岐金具６３では、衛生洗浄装置４０への洗浄水給水に当たって、給水配管ＨＫの切断を必要としないばかりか、既存の止水栓の分解・取り外しも必要としない。よって、この分岐金具６３によれば、容易に衛生洗浄装置４０に給水できる。また、有底孔６３ｆに挿入したドライバ等により大きな回転トルクでネジ切り回転して容易にネジ切りでき、簡単に分岐金具６３を給水配管ＨＫに接続できる。更に、エポキシ系接着剤にてシールするので、漏水を起こすことがなく好ましい。なお、給水配管ＨＫの螺刻の際に生じた切粉や切り残しくずは、給水配管ＨＫから便器洗浄水タンク４７に運ばれ、タンク給水箇所のストレーナにて補足され、その後に除去することが可能である。
【００２９】
上記の給水金具６０に替えて図９に示す給水金具６０Ａを用いることもできる。この給水金具６０Ａでは、分岐配管ＢＨがトルク発生部６３ｄの端部に接続され、金具と配管の軸心が一致する。よって、給水金具６０のネジ切り回転が容易となり、衛生洗浄装置４０への給水のための作業が容易となる。
【００３０】
この給水金具６０、６０Ａのタップ部６３ａを、図１０に示すように、その先端が円錐状をなし、給水流路６３ｅからタップ部の谷まで小径の孔６３ｇを空けたものとしてもよい。こうすれば、タップ部６３ａによる給水配管ＨＫの螺刻の際に、切粉しか生じさせず、配管に切り残しくずを残さない。よって、切り残しくずによる配管の閉塞を引き起こしにくくできる。
【００３１】
なお、転居等により、衛生洗浄装置４０を便器から取り外す場合は、タップ部６３ａと同じネジ形状をした止め栓をはめればよい。また、トイレ改築や住居新築の時であれば、衛生洗浄装置４０を便器に当初から設置して、この衛生洗浄装置４０に給水配管できる。よって、この場合は、給水金具６０を用いる必要はない。
【００３２】
このようにして洗浄水の給水を受ける給水ユニット５２は、洗浄水を予め適温に温水化する温水タンク５３を有する（図５参照）。図１１は、この温水タンク５３の概略斜視図である。図示するように、温水タンク５３は、上部タンク５３ａと下部タンク５３ｂとを、それぞれの端部リブ５３ｃ，５３ｄにて溶融固定して形成されている。そして、温水タンク５３は、図示しない温水化用のシーズヒータ、温度監視用のサーミスタ、温度の過剰昇温防止用のバイメタルスイッチ、温度ヒューズ等をタンク内に配置して備え、これらを上部タンク５３ａに固定保持する。
【００３３】
図１２は、温水タンク５３を端部リブ５３ｃ，５３ｄ近傍で断面視した要部断面図である。図示するように、端部リブ５３ｃの下面中央は、下端が平坦形状で突出した溶融突起部５３ｅとされており、その両側は、上方に窪んだバリ溜まり５３ｆ、端部接合部５３ｇとされている。端部リブ５３ｄについても同様であり、上端がＶ字状の陥没形状で突出した溶融突起部５３ｈとされており、その両側は、下方に窪んだバリ溜まり５３ｉ、端部接合部５３ｊとされている。そして、温水タンク５３は、次のようにして作製される。
【００３４】
まず、この端部リブ５３ｃ，５３ｄを、溶融突起部、バリ溜まり、端部接合部同士が対向するようにして押し付ける。次いで、この状態で端部リブ５３ｃ，５３ｄに図中左右に摩擦振動させる。すると、溶融突起部５３ｅ，５３ｈが発熱し、両溶融突起部はこの熱で溶融し一体化する。この際に生じた溶融バリは、バリ溜まり５３ｆ，５３ｉに溜まる。溶融突起部の熱溶融一体化が進むと、端部接合部５３ｇ，５３ｊも接合して一体化する。この際、両端部接合部の表面部分は、熱で溶融する。バリ溜まり５３ｆ，５３ｉの容積は、溶融突起部の溶融で生じる溶融バリ量より大きくされているので、端部接合部が不用意に離れたまま両端部リブが溶融することはない。こうして端部接合部の接合が起きると振動を止め、冷却する。これにより、上部タンク５３ａと下部タンク５３ｂがその端部リブの全面に亘って溶融固着し、上下のタンク部が強固に溶融固定された温水タンク５３が完成する。この際、バリ溜まりに溜まったバリ自体もその後の冷却により硬化し、タンクの溶融固着に寄与する。
【００３５】
この溶融固着構造は、次のように改善することができる。図１３は、図１２に示す溶融固着構造を改善した端部リブ５３ｃ，５３ｄの要部断面図である。この図１３に示す端部リブ５３ｃ，５３ｄは、二つの溶融突起部５３ｅ，５３ｈを図１２に示すのもの約半分の幅で備え、その間に、中央バリ溜まり５３ｋ，５３ｍを有する。つまり、溶融固着を引き起こす溶融突起部を、端部リブの周囲に亘って二重に有する。この端部リブ５３ｃ，５３ｄであっても、二つの溶融突起部５３ｅ，５３ｈに熱による溶融・一体化を引き起こし、上部タンク５３ａと下部タンク５３ｂが端部リブ全面に亘って強固に溶融固着した温水タンク５３が完成する。この図１３に示す溶融固着構造の温水タンク５３では、次の利点がある。
【００３６】
図１２に示すものでは、溶融・一体化の対象となる溶融突起部５３ｅ，５３ｈが一つでありこの突起部の溶融で上下のタンク部の固着力を発揮するので、この突起部の幅をある程度確保する必要がある。このため、幅広の溶融突起部５３ｅ，５３ｈで溶融が起きることから、溶融突起部５３ｅ，５３ｈの幅方向で溶融程度が異なり、この幅方向で固着力が異なる場合が起き得る。これに対し、図１３に示す溶融突起部５３ｅ，５３ｈでは、それぞれの突起部が狭い幅とされているので、幅方向での溶融程度はもとより固着力も均一となる。しかも、このような均一固着力を得ることができる溶融部、即ち溶融突起部５３ｅ，５３ｈが二重とされているので、端部リブの幅方向に亘っては、より高い固着力を得ることができ上下のタンク部をより一層強固に固定できる。この結果、漏水に対する信頼性を高めることができ好ましい。
【００３７】
次に、サブアッシーノズル体３０を用いた衛生洗浄装置４０によるノズル駆動の様子と洗浄水噴出の様子について説明する。図１４は、第１ノズル３１を用いた肛門洗浄の様子を表す要部斜視図、図１５は、第２ノズル３２を用いたビデ洗浄の様子を表す要部斜視図である。まず、肛門洗浄について説明する。
【００３８】
制御ユニット５８あるいはリモートコントローラ５９の肛門洗浄ボタンが操作されると、制御ユニット５８（図６参照）は、ノズル駆動に先立ち、給水ユニット５２に第１ノズル３１への給水信号を出力する。これにより、第１ノズル３１は、図１４に示す待機位置ＴＰにおいて給水ユニット５２から洗浄水の給水を受け、噴出口３５からこの洗浄水を噴出する。こうして噴出された洗浄水は、第２ノズル３２先端の開口凹所３９の内壁面で跳ね返り、噴出口３５周辺のノズル表面にかかる。この跳ね返り洗浄水によりセルフクリーニングがなされ、肛門洗浄に先立って噴出口３５周辺が洗浄される。
【００３９】
その後、制御ユニット５８は、給水ユニット５２に給水停止信号を出力して第１ノズル３１への給水を止め、セルフクリーニングを完了させる。次いで、制御ユニット５８は、第１ノズル３１を待機位置ＴＰから肛門洗浄位置ＫＰまで進出させるための駆動信号（進出信号）をノズル駆動ユニット５４に出力する。これにより、第１ノズル３１は、第２ノズル３２のノズル挿入孔３２ａで案内されながら、図１４に示すように単独で肛門洗浄位置ＫＰまで進出して当該位置に停止する。こうして第１ノズル３１が肛門洗浄位置ＫＰに達すると、制御ユニット５８は、給水ユニット５２に肛門洗浄のための給水信号を出力する。これにより、肛門洗浄位置ＫＰにある第１ノズル３１の噴出口３５から、肛門に向けて洗浄水が噴出し、この洗浄水による肛門洗浄が実施される。この第１ノズル３１による肛門洗浄の間は、第２ノズル３２は待機位置ＴＰに位置したままである。
【００４０】
上記した肛門洗浄は停止ボタンが操作されるまで継続され、当該ボタンが操作されると、制御ユニット５８は、給水ユニット５２には給水停止信号を、ノズル駆動ユニット５４には第１ノズル３１を待機位置ＴＰに後退させるための駆動信号（後退信号）をそれぞれ出力する。これにより、第１ノズル３１は肛門洗浄のための洗浄水噴出を停止し、待機位置ＴＰに後退復帰する。なお、待機位置ＴＰに復帰後は、上記したセルフクリーニングが再度実行される。
【００４１】
制御ユニット５８あるいはリモートコントローラ５９のビデ洗浄ボタンが操作された場合は、制御ユニット５８から給水ユニット５２に第２ノズル３２への給水信号が出力される。これにより、第２ノズル３２は、待機位置ＴＰにおいてその噴出口３７から洗浄水を図示しないクリーニングチャンバに噴出する。よって、ビデ洗浄の場合であっても、第１ノズル３１による肛門洗浄と同様にセルフクリーニングがなされ、ビデ洗浄に先立って噴出口３７周辺が洗浄される。
【００４２】
このセルフクリーニングの完了後、制御ユニット５８は、第２ノズル３２を肛門洗浄位置ＫＰより前方のビデ洗浄位置ＢＰまで待機位置ＴＰから進出させるための駆動信号（進出信号）をノズル駆動ユニット５４に出力する。これにより、第２ノズル３２は、図１５に示すように単独でビデ洗浄位置ＢＰまで進出して停止する。すると、制御ユニット５８から給水ユニット５２にビデ洗浄のための給水信号が出力されるので、ビデ洗浄位置ＢＰにある第２ノズル３２の噴出口３７から、女性局部に向けて洗浄水が噴出し、女性局部の洗浄（ビデ洗浄）が実施される。この第２ノズル３２によるビデ洗浄の間は、第１ノズル３１は待機位置ＴＰに位置したままである。
【００４３】
上記したビデ洗浄にあっても肛門洗浄と同様に停止ボタンが操作されるまで継続され、当該ボタンが操作されると、第２ノズル３２からの洗浄水噴出が停止し、第２ノズル３２は待機位置ＴＰに後退復帰する。なお、待機位置ＴＰに復帰後は、上記したセルフクリーニングが再度実行される。
【００４４】
以上説明したように、この実施例の衛生洗浄装置４０によれば、次の利点がある。まず、第１に、本実施例では、第１ノズル３１を第２ノズル３２に収納して両ノズルを一体化したサブアッシーノズル体３０を用いると共に、ノズル収納に当たっては、第１ノズル３１をその外形に倣ったノズル挿入孔３２ａに収納した。よって、サブアッシーノズル体３０をスペース的な無駄を省いて第１ノズル３１を第１ノズル３１に収納・一体化させたものとできるので、複数ノズルを単に並列設置した従来のものより小型化を図ることができる。また、第１ノズル３１が第２ノズル３２に収納されたサブアッシーノズル体３０では、複数ノズルとしてよりも単一ノズルとしての外観を呈し単一ノズルのように取り扱えることから、見栄えが向上し取り扱いも容易となる。更に、第１ノズル３１をノズル挿入孔３２ａで案内するので、肛門洗浄の際に第１ノズル３１を容易に進退させることができ好ましい。
【００４５】
そして、第１ノズル３１を肛門ノズルとし第２ノズル３２をビデノズルとすると共に、第１ノズル３１による肛門洗浄の際には、第２ノズル３２を待機位置ＴＰに位置させる。よって、図１４に示すように、肛門洗浄時に人体で跳ね返った跳ね返り洗浄水を第２ノズル３２にかからないようにでき、ビデノズルについての衛生感を損ねることが少ない。この結果、本実施例によれば、小型化に加え、女性局部洗浄時の不安感を複数ノズルを並列設置した従来のものと同程度にまでなくすことができる。
【００４６】
また、本実施例では、ビデノズルを、図３に示すように有効流路面積が広く圧力損失が小さいノズル内流路を形成可能な第２ノズル３２とした。よって、女性局部洗浄を多流量の洗浄水噴出で実行できるので、女性局部の洗浄感を高めることができる。
【００４７】
上記した実施例の衛生洗浄装置４０は、次のように変形可能である。図１６ないし図２０は、サブアッシーノズル体３０の変形例を説明する説明図である。第１変形例では、図１６（ａ）の噴出口周辺平面図と図１６（ｂ）の横断面図に示すように、ビデノズルである第２ノズル３２は、噴出口３７を、単一の噴出口ではなく、複数の小径噴出口が集合した噴出口として有する。こうすれば、比較的広い範囲を一度に洗浄でき、その際の洗浄感もソフトとできる。
【００４８】
第２変形例は、図１７に示すように、ビデノズルである第２ノズル３２は、左右に対称配置され同じ洗浄ポイントに向いた噴出口３７を有する。こうすれば、左右から女性局部を一度に洗浄できる。また、第３変形例は、図１８に示すように、ビデノズルである第２ノズル３２は、洗浄ポイントの手前で噴出洗浄水がぶつかるように左右に対称配置された噴出口３７を有する。こうすれば、左右から女性局部を一度に洗浄できると共に、衝突後の洗浄水が女性局部にかかることから、比較的広い範囲を一度に洗浄でき、その際の洗浄感もソフトとできる。
【００４９】
また、次のように変形することもできる。つまり、第１ノズル３１をビデノズルとし、第２ノズル３２を肛門ノズルとするよう変形できる。この変形例では、第２ノズル３２による肛門洗浄時に、ビデノズルである第１ノズル３１を待機位置ＴＰに位置させるばかりか、この第１ノズル３１を第２ノズル３２に収納された状態とする。よって、肛門洗浄時の跳ね返り洗浄水を第２ノズル３２自体で遮ることができ、この跳ね返り洗浄水を第１ノズル３１にかけることが全くない。このため、この変形例によれば、ビデノズルについての衛生感を高めることができるので、第１ノズル３１による女性局部洗浄時の不安感をより確実に解消することができる。
【００５０】
また、本実施例では、第１ノズル３１と第２ノズル３２により肛門洗浄とビデ洗浄を図る衛生洗浄装置４０としたが、肛門洗浄専用の衛生洗浄装置とするよう変形することもできる。この場合は、第１ノズル３１と第２ノズル３２の両ノズルを待機位置ＴＰから肛門洗浄位置ＫＰまで駆動するものとし、第１ノズル３１と第２ノズル３２で洗浄水の噴出形態を異なるものとすればよい。例えば、第１ノズル３１を一点に洗浄水を集中噴出する一般的な洗浄水噴出を図るものとし、第２ノズル３２を多流量での洗浄水噴出や気泡混入済みの洗浄水噴出を図るものとできる。こうすれば、多様な洗浄感で肛門洗浄を実行でき好ましい。図１９は、肛門洗浄専用の衛生洗浄装置に用いた変形例（第４変形例）のサブアッシーノズル体３０を説明する説明図である。
【００５１】
この図１９に示すように、第４変形例のサブアッシーノズル体３０では、第２ノズル３２は、第１ノズル３１の噴出口３５を取り囲むよう空けられた貫通孔３７ａとその周りに小径で同心に点在配置された噴出口３７を有する。そして、第１ノズル３１と第２ノズル３２は、一体のままビデ洗浄位置ＢＰに進出するようにされている。この変形例では、通常は、第１ノズル３１による集中噴出洗浄が行われ、特別のボタン（例えば、ソフトボタン）が操作されると、第２ノズル３２の噴出口３７から環状に洗浄水を噴出させる。このように、この変形例によれば、集中噴出洗浄水による肛門洗浄と環状噴出洗浄水による肛門洗浄を選択実行でき、多様な局部洗浄を実行できる。この変形例では、いずれの肛門洗浄であっても、第１ノズル３１と第２ノズル３２は共に肛門洗浄位置ＫＰに進出する。なお、集中噴出洗浄水による肛門洗浄時には、第１ノズル３１のみを肛門洗浄位置ＫＰに進出させ、環状噴出洗浄水による肛門洗浄時には、第２ノズル３２のみを肛門洗浄位置ＫＰに進出させるようにすることもできる。この場合には、第２ノズル３２に貫通孔３７ａは不要である。
【００５２】
また、第５変形例を表す図２０に示すように、第２ノズル３２に第１ノズル３１を収納するに当たり、両ノズルが上下に偏心配置するように変形することもできる。更に、第１ノズル３１と第２ノズル３２ばかりではなく、第３ノズルを追加しこの第３ノズルを第１ノズル３１に同心あるいは偏心させて収納するよう変形することもできる。
【００５３】
更に、サブアッシーノズル体３０では、第１ノズル３１を第２ノズル３２の長さ全域に亘って収納するようにしたが、第２ノズル３２の長さ方向に一部範囲で第１ノズル３１を収納するようにできる。例えば、第２ノズル３２の先端側からノズル長の約１／３の範囲でのみノズル挿入孔３２ａを形成し、その他の範囲では第１ノズル３１が露出してもよい。また、ノズル挿入孔３２ａを第１ノズル３１の周囲全周に亘る孔としたが、この挿入孔を第１ノズル３１の周囲の２／３程度を覆うものとし、例えば下端側がノズル長手方向に開口したものとすることもできる。また、ノズル挿入孔３２ａを、第１ノズル３１との摺動抵抗を抑制するよう、挿入孔内周面にノズル長手方向に幾筋もの溝を有するものとすることもできる。
【００５４】
以上本発明の実施例について説明したが、本発明は上記の実施例や実施形態になんら限定されるものではなく、本発明の要旨を逸脱しない範囲において種々なる態様で実施し得ることは勿論である。
【００５５】
例えば、実施例におけるビデノズルを、細菌生育の障害となる金属（Ａｇ、Ｎｉ・Ｃｒ合金等）の微粒子を洗浄水噴出口周辺にコーティングしたものとできる。こうすれば、噴出口周辺に細菌を生育しにくくできるので、ビデノズルについての清潔感が増して安心感がより高まり好ましい。また、上記のビデノズルを、洗浄水噴出口周辺に光触媒の微粒子をコーティングしたものとできる。この光触媒は、照射された光のエネルギにより励起電子と正孔を生成して触媒として機能し、触媒表面の水分又は水分と酸素の存在下での水酸ラジカルの生成を経て水酸基を生成するものである。このような光触媒がコートされたビデノズルでは、コート領域表面に光照射下で常に水酸基を高密度で存在させて当該表面を高い親水性表面とすることができる。よって、洗浄水噴出口周辺に汚れが付着しても、セルフクリーニングの際にかけられた洗浄水によりこの汚れを速やかにかつ確実に除去できるので、ビデノズルについての清潔感がより一層増大して安心感が一層高まり好ましい。この光触媒としては、ＴｉＯ2やＺｎＯ，ＳｎＯ2等を挙げることができ、ＴｉＯ2はその調達が容易である点で好ましい。
【図面の簡単な説明】
【図１】  ２本の局部洗浄用ノズルを有するサブアッシーノズル体３０の概略斜視図である。
【図２】  このサブアッシーノズル体３０をノズル軸方向に沿って要部を断面視した要部断面図である。
【図３】  図２の３−３線拡大断面図である。
【図４】  図２の４−４線拡大断面図である。
【図５】  サブアッシーノズル体３０を有する衛生洗浄装置４０を便器と共に示す分解斜視図である。
【図６】  この衛生洗浄装置４０の構成を表すブロック図である。
【図７】  既設便器に追加設置した衛生洗浄装置４０に洗浄水を給水するための管路構成を説明する説明図である。
【図８】  既設便器に追加設置した衛生洗浄装置４０への給水を行う給水金具６０の構成と給水配管への固定の様子を説明する説明図である。
【図９】  同じく、給水金具６０Ａの構成と給水配管への固定の様子を説明する説明図である。
【図１０】  この給水金具６０、６０Ａにおける変形例のタップ部６３ａの先端断面図である。
【図１１】  給水ユニット５２における温水タンク５３の概略斜視図である。
【図１２】  温水タンク５３を端部リブ５３ｃ，５３ｄ近傍で断面視した要部断面図である。
【図１３】  図１２に示す溶融固着構造を改善した端部リブ５３ｃ，５３ｄの要部断面図である。
【図１４】  第１ノズル３１を用いた肛門洗浄の様子を表す要部斜視図である。
【図１５】  第２ノズル３２を用いたビデ洗浄の様子を表す要部斜視図である。
【図１６】  サブアッシーノズル体３０の第１変形例を説明する説明図である。
【図１７】  サブアッシーノズル体３０の第２変形例を説明する説明図である。
【図１８】  サブアッシーノズル体３０の第３変形例を説明する説明図である。
【図１９】  サブアッシーノズル体３０の第４変形例を説明する説明図である。
【図２０】  サブアッシーノズル体３０の第５変形例を説明する説明図である。
【符号の説明】
３０…サブアッシーノズル体
３１…第１ノズル
３２…第２ノズル
３２ａ…ノズル挿入孔
３３，３４…接続金具
３５…噴出口
３６…ノズル内流路
３７…噴出口
３７ａ…貫通孔
３８…ノズル内流路
３９…開口凹所
４０…衛生洗浄装置
４１…便器
４１ａ…便器ボール部
４２…本体ベース
４３…ユニット群
４４…便座
４５…便蓋
４６…本体カバー
４７…便器洗浄水タンク
５０…ノズルユニット
５１…支持プレート
５１ａ…支持駒
５１ｂ…ギヤ
５２…給水ユニット
５３…温水タンク
５３ａ…上部タンク
５３ｂ…下部タンク
５３ｃ，５３ｄ…端部リブ
５３ｅ，５３ｈ…溶融突起部
５３ｇ，５３ｊ…端部接合部
５３ｈ…溶融突起部
５４…ノズル駆動ユニット
５６…乾燥ユニット
５８…制御ユニット
５８Ａ…電子制御装置
５９…リモートコントローラ
６０，６０Ａ…給水金具
６１…フレーム
６２…プレート
６２ｃ…分岐部
６３…分岐金具
６３ａ…タップ部
６３ｂ…雄ネジ部
６３ｃ…分岐部
６３ｄ…トルク発生部
６３ｅ…給水流路
６３ｆ…有底孔
６３ｇ…孔
ＢＨ…分岐配管
ＢＫ…分岐金具
ＢＰ…ビデ洗浄位置
Ｇ０…原点位置
Ｇ１…係合位置
ＨＫ…給水配管
ＫＰ…肛門洗浄位置
ＳＳ…止水栓
ＴＰ…待機位置
【図１】
0003736153.tif 000002
【図２】
0003736153.tif 000003
【図３】
0003736153.tif 000004
【図４】
0003736153.tif 000005
【図５】
0003736153.tif 000006
【図６】
0003736153.tif 000007
【図７】
0003736153.tif 000008
【図８】
0003736153.tif 000009
【図９】
0003736153.tif 000010
【図１０】
0003736153.tif 000011
【図１１】
0003736153.tif 000012
【図１２】
0003736153.tif 000013
【図１３】
0003736153.tif 000014
【図１４】
0003736153.tif 000015
【図１５】
0003736153.tif 000016
【図１６】
0003736153.tif 000017
【図１７】
0003736153.tif 000018
【図１８】
0003736153.tif 000019
【図１９】
0003736153.tif 000020
【図２０】
0003736153.tif 000021